(57)【要約】【課題】マスカラ化粧用具のマスカラ剤容器中のマスカラ剤全体を、塗布ブラシ部材をマスカラ剤容器に挿入したままでも、良好な効率で撹拌できるようにする。【解決手段】マスカラ化粧用具は、マスカラ剤１とそれを撹拌するための棒状形状を有する撹拌子２とが収容されているマスカラ剤容器３と、マスカラ剤容器３を密閉するためのキャップ部材４と、マスカラ剤容器３に挿入可能となるようにキャップ部材４に取り付けられた塗布ブラシ部材５とを有する。【選択図】図１
2008049008.tif 000002
【特許請求の範囲】
【請求項１】
マスカラ剤と該マスカラ剤を撹拌するための棒状形状を有する撹拌子とが収容されているマスカラ剤容器と、該マスカラ剤容器を密閉するためのキャップ部材と、該マスカラ剤容器に挿入可能となるように該キャップ部材に取り付けられた塗布ブラシ部材とを有するマスカラ化粧用具。
【請求項２】
該塗布ブラシ部材が、軸部とその軸部の一端に設けられた植毛部とを有し、該軸部の他端で該キャップ部材に取り付けられており、撹拌子の長手方向長が該植毛部の軸方向長よりも長い請求項１記載のマスカラ化粧用具。
【請求項３】
棒状の該撹拌子が、中空シリンダー形状を有する請求項１又は２記載のマスカラ化粧用具。
【請求項４】
棒状の該撹拌子が、外表面に凸条部を有する請求項１〜３のいずれかに記載のマスカラ化粧用具。
【請求項５】
該塗布ブラシ部材の該軸部と該ブラシ部とが、略一直線状に重ならないように配置されている請求項１〜４のいずれかに記載のマスカラ化粧用具。
【発明の詳細な説明】
【技術分野】
【０００１】
本発明は、マスカラ化粧用具に関する。
【背景技術】
【０００２】
従来のマスカラ化粧用具は、図４（断面図）に示すように、高粘度の黒色樹脂組成物からなるマスカラ剤４０が充填されたマスカラ剤容器４１と、マスカラ剤容器４１を密閉するキャップ部材４２と、キャップ部材４２に設けられた塗布ブラシ部材４３とから構成されている（特許文献１）。ここで、塗布ブラシ部材４３は、軸部４４とその一端に設けられた植毛部４５とから構成され、軸部４４の他端でキャップ部材４２に取り付けられている。また、マスカラ剤容器４１とキャップ部材４２との密封性を高めるために、通常、マスカラ剤容器４１には雄ネジ（図示せず）が形成されており、キャップ部材４２にはその雄ネジに対応した雌ネジ（図示せず）が形成されている。また、マスカラ剤容器４１の開口部近傍の内壁には、塗布ブラシ部材４３の植毛部４５に余分に付着したマスカラ剤を拭うためのしごき部材４６が設けられている。
【０００３】
【特許文献１】特開２００３−１８０４４７号公報
【発明の開示】
【発明が解決しようとする課題】
【０００４】
マスカラ剤容器４１中のマスカラ剤４０全体を充分に撹拌するために、図５に示すように、噴射型養毛料製品等において内容物の撹拌のために採用されているような球体４７を撹拌子としてマスカラ剤容器４１中に入れることも考えられるが、その可動域（図５中の矢印）を広くしようとする場合、必然的に球体４７の径を小さくせざるを得ず、撹拌効率が充分ではなくなる。一方、撹拌効率を上げるために球体４７の径を大きくすると、可動域（図６中の矢印）が小さくならざるを得ず、可動域内での撹拌効率は向上するが、マスカラ剤容器４１中のマスカラ剤４０を全体的に撹拌することができなくなる。
【０００５】
また、マスカラ化粧用具の使用の際に、キャップ部材４２をつまんでいる指の位置と睫毛との位置関係を、マスカラ剤を睫毛に適用し易い位置関係とするために、塗布ブラシ部材４３の軸部４４に対して植毛部４５を曲げることが行われている。この場合、球体４７が植毛部４５の植毛の中に埋もれたり、植毛部４５とマスカラ剤容器４１の内壁との間にはまり込んだりする可能性もある。
【０００６】
本発明は、以上の技術課題を解決しようとするものであり、マスカラ化粧用具のマスカラ剤容器中のマスカラ剤全体を、塗布ブラシ部材をマスカラ剤容器に挿入したままでも、良好な効率で撹拌できるようにすることを目的とする。
【課題を解決するための手段】
【０００７】
本発明者らは、従来の金属性の球体の撹拌子ではなく、棒状の撹拌子を使用することにより上述の課題を解決できることを見出し、本発明を完成させた。
【０００８】
即ち、本発明は、マスカラ剤と該マスカラ剤を撹拌するための棒状形状を有する撹拌子とが収容されているマスカラ剤容器と、該マスカラ剤容器を密閉するためのキャップ部材と、該マスカラ剤容器に挿入可能となるように該キャップ部材に取り付けられた塗布ブラシ部材とを有するマスカラ化粧用具を提供する。
【発明の効果】
【０００９】
本発明によれば、マスカラ剤容器に投入する撹拌子として棒状形状のものを使用する。このため、可動領域は大きいが撹拌効率が充分でない球体の径と同レべルの幅を有する棒状撹拌子は、対応する球体に比べて相対的に表面積と質量とが大きいものとなるので、可動領域を狭めずに撹拌効率を向上させることができる。
【発明を実施するための最良の形態】
【００１０】
以下、図面を参照しつつ本発明を詳細に説明する。なお、各図中、同一符号は同一又は同等の構成要素を表している。
【００１１】
図１は、本発明の一形態のマスカラ化粧用具の断面図である。このマスカラ化粧用具は、マスカラ剤１と棒状の撹拌子２が収容されているマスカラ剤容器３と、マスカラ剤容器３を密閉するためのキャップ部材４とを有する。キャップ部材４には、マスカラ剤容器３に挿入可能となるように塗布ブラシ部材５が取り付けられている。ここで、塗布ブラシ部材５は、軸部６とその一端に設けられた植毛部７とから構成され、軸部６の他端でキャップ部材４に取り付けられている。この“取り付け”には、別々の部材を嵌合させあるいは接着剤等を用いて接合一体化させる態様や、金型を用いて一体成形させる態様等が含まれる。また、マスカラ剤容器３とキャップ部材４との密封性を高めるために、従来のマスカラ化粧用具の場合と同様に、通常、マスカラ剤容器３には雄ネジ（図示せず）が形成されており、キャップ部材４にはその雄ネジに対応した雌ネジ（図示せず）が形成されている。また、マスカラ剤容器３の開口部近傍の内壁には、塗布ブラシ部材５の植毛部７に余分に付着したマスカラ剤１を拭うためのしごき部材８が設けられている。
【００１２】
棒状の撹拌子２は、その径を小さくしても長さを長く維持する事ができるので、マスカラ剤容器３中での可動域（図１の点線矢印）を幅広く確保することができると共に、撹拌効率を高めることができる。棒状の撹拌子２の長手方向長Ｌａの具体的な長さとしては、短すぎると斜めになったりして攪拌効率が低下し、長すぎると上下方向の稼動域が狭くなるので、好ましくは５〜５０ｍｍ、より好ましくは１５〜４０ｍｍである。この場合、棒状の撹拌子２は、その長手方向長Ｌａが植毛部７の軸方向長Ｌｂよりも長いことが好ましい。また、棒状の撹拌子２の長手方向長Ｌａに直交する幅は、短すぎると上下方向の移動による攪拌量が小さく、長すぎるとブラシと容器の間に挟まるので、好ましくは２〜５ｍｍ、より好ましくは３〜４ｍｍである。このような棒状の撹拌子２の材質は、ステンレス等の金属、酸化アルミニウムなどのセラミックス、金属粒子分散プラスチックなどから適宜選択することができる。
【００１３】
棒状の撹拌子２の形状としては、マスカラ剤容器３中で比較的容易に移動できる形状であればよく、例えば、筒形状（図２Ａ）、流線形状(図２Ｂ)、中空シリンダー形状（図２Ｃ）でもよい。また、撹拌効率を向上させるために、棒状の撹拌子の外表面に凸条部２ａを設けてもよく（図２Ｄ）、複数の凸条部２ａを設けてもよい（図２Ｅ）。また、凸条部２ａを滑らかな凸形状としてもよく（図２Ｆ）、また、螺旋形状としてもよい（図２Ｇ）。
【００１４】
また、通常、塗布ブラシ部材５の軸部６とその一端に設けられた植毛部７とを、略一直線状に重なるように配置するが、略一直線状に重ならないように配置してもよい。例えば、図３Ａに示すように、ブラシを持つ手やブラシの軸部６が顔に当たりにくくなるように、軸部６と植毛部７とが、好ましくは１０〜３０°の角度を持つように配置してもよい。また、図３Ｂに示すように、軸部６と植毛部７とが平行にずれるように配置してもよい。更に、図３Ｃに示す用に、植毛部７自体を湾曲させてもよい。
【００１５】
以上説明した以外の本発明のマスカラ化粧用具の構成については、従来のマスカラ化粧用具の構成の中から適宜採用することができる。
【産業上の利用可能性】
【００１６】
本発明のマスカラ化粧用具によれば、マスカラ剤容器中のマスカラ剤全体を、塗布ブラシ部材をマスカラ剤容器に挿入したままでも、良好な効率で撹拌できる。従って、均一なマスカラ剤を睫毛に対して適用することができる。
【図面の簡単な説明】
【００１７】
【図１】本発明のマスカラ化粧用具の一例の断面図である。
【図２Ａ】本発明で使用する棒状の攪拌子の側面図である。
【図２Ｂ】本発明で使用する棒状の攪拌子の側面図である。
【図２Ｃ】本発明で使用する棒状の攪拌子の側面図である。
【図２Ｄ】本発明で使用する棒状の攪拌子の側面図である。
【図２Ｅ】本発明で使用する棒状の攪拌子の側面図である。
【図２Ｆ】本発明で使用する棒状の攪拌子の側面図である。
【図２Ｇ】本発明で使用する棒状の攪拌子の側面図である。
【図３Ａ】本発明で使用する棒状の攪拌子の断面図である。
【図３Ｂ】本発明で使用する棒状の攪拌子の断面図である。
【図３Ｃ】本発明で使用する棒状の攪拌子の断面図である。
【図４】従来のマスカラ化粧用具の断面図である。
【図５】従来のマスカラ化粧用具に撹拌子として比較的小さい球体を採用した場合の断面予想図である。
【図６】従来のマスカラ化粧用具に撹拌子として比較的大きな球体を採用した場合の断面予想図である。
【符号の説明】
【００１８】
１  マスカラ剤
２  棒状の撹拌子
３  マスカラ剤容器
４  キャップ部材
５  塗布ブラシ部材
６  軸部
７  植毛部
８  しごき部材
【図１】
2008049008.tif 000003
【図２Ａ】
2008049008.tif 000004
【図２Ｂ】
2008049008.tif 000005
【図２Ｃ】
2008049008.tif 000006
【図２Ｄ】
2008049008.tif 000007
【図２Ｅ】
2008049008.tif 000008
【図２Ｆ】
2008049008.tif 000009
【図２Ｇ】
2008049008.tif 000010
【図３Ａ】
2008049008.tif 000011
【図３Ｂ】
2008049008.tif 000012
【図３Ｃ】
2008049008.tif 000013
【図４】
2008049008.tif 000014
【図５】
2008049008.tif 000015
【図６】
2008049008.tif 000016